(57)【要約】  発電部からの発電電圧を、回路部が規定する電源電圧に適合するように制御して供給し、回路部に安定した動作を行わせることできる電圧供給制御回路を提供する。発電部３が押圧操作されて入力端子１３の発電電圧Ｖ３が上昇している間において発電部３の発電電圧Ｖ３が第１の電圧Ｖｔｈ１以下の場合に、発電部３から送信部５への電圧供給を停止する。発電電圧Ｖ３が第１の電圧Ｖｔｈ１を超えた場合に出力電圧Ｖ３´を送信部５に供給する。発電電圧Ｖ３´が第１の電圧Ｖｔｈ１より低い第２の電圧Ｖｔｈ２以下になった場合に、発電部３から送信部５への電圧供給を停止する。
2016167155.tif 000002
【特許請求の範囲】
【請求項１】
発電部と前記発電部の発電電圧を基に動作する回路部との間に介在する電圧供給制御回路であって、
前記発電部の発電電圧が第１の電圧以下の場合に前記発電部から前記回路部への電圧供給を停止し、前記発電電圧が前記第１の電圧を超えた場合に前記発電電圧を前記回路部に供給する
電圧供給制御回路。
【請求項２】
前記発電電圧を前記回路部に供給中に、前記発電電圧が前記第１の電圧より低い第２の電圧以下になった場合に、前記発電部から前記回路部への電圧供給を停止する
請求項１に記載の電圧供給制御回路。
【請求項３】
前記発電部の前記発電電圧を前記回路部に供給する経路に設けられた第１のスイッチと、
前記発電電圧が第１の電圧を超えた場合に、前記第１のスイッチに当該第１のスイッチをオンにする電圧を供給する第１の回路と、
前記回路部に供給される前記発電電圧が前記第２の電圧以下になった場合に、前記第１のスイッチをオフにする電圧を供給する第２の回路と
を有する請求項２に記載の電圧供給制御回路。
【請求項４】
前記第１のスイッチは第１のトランジスタであり、
前記第１の回路は、
前記発電電圧を電源電圧として動作し、前記第１のトランジスタのゲートに印加される電圧を制御する
請求項３に記載の電圧供給制御回路。
【請求項５】
前記第１のトランジスタのゲートと所定の基準電位との間の経路に設けられた第２のトランジスタを有し、
前記第２の回路は、前記回路部に供給される発電電圧を電源電圧として動作し、前記第２のトランジスタのゲートに印加される電圧を制御する
請求項４に記載の電圧供給制御回路。
【請求項６】
前記第１のトランジスタから前記発電部への前記発電電圧の供給経路と、前記第２のトランジスタのゲートとの間に位置する第１の抵抗
を有する請求項５に記載の電圧供給制御回路。
【請求項７】
前記第１のトランジスタは、ＰチャネルＭＯＳＦＥＴであり、
前記第２のトランジスタは、ＮチャネルＭＯＳＦＥＴであり、
前記第１の回路は、前記発電電圧が前記第１の電圧を超えた場合に前記第１のトランジスタのゲートにローレベル電圧を供給する第１の出力端子を有し、
前記第２の回路は、前記発電電圧が前記第２の電圧以下になった場合に、前記第２のトランジスタの前記ゲートにローレベル電圧を供給する第２の出力端子を有し、
前記第１のトランジスタのソースと前記第１の回路の前記第１の出力端子との間に、キャパシタ及び第２の抵抗が並列に設けられている
請求項６に記載の電圧供給制御回路。
【請求項８】
前記発電部と、
請求項１〜７のいずれかに記載の電圧供給制御回路と、
前記回路部と
を有し、
前記発電部は、操作者の入力操作に伴う動きにより発電を行い、
前記回路部は、前記電圧供給制御回路からの供給された発電電圧を電源電圧として用いて動作し、前記発電電圧が供給されたことを条件に操作信号を無線送信する送信部であり、前記電源電圧の範囲が規定されている
操作装置。
【発明の詳細な説明】
【技術分野】
【０００１】
本発明は、発電部と回路部との間に介在する電圧供給制御回路および当該電圧供給制御回路を用いた操作装置に関するものである。
【背景技術】
【０００２】
図５に示すように、発電操作部１０１が指等で操作されたときに、ＲＦモジュール１０３から操作信号を送信する発電入力装置がある。当該発電入力装置では、発電操作部１０１が操作されると、当該操作に応じて発電が行われ、発電電力がＲＦモジュール１０３に供給される。ＲＦモジュール１０３は、上記発電電力により動作する。【０００３】
図６は、発電操作部による発電電圧の時間変化を説明するための図である。
図６に示すように、発電操作部１０１による発電電圧は、操作が開始とともに上昇し、一定時間経過後に、ＲＦモジュール１０３による電力消費により下降する。
【先行技術文献】
【特許文献】
【０００４】
【特許文献１】特開２０１３−２１７４６号公報
【発明の概要】
【発明が解決しようとする課題】
【０００５】
ところで、発電操作部１０１とＲＦモジュール１０３を内蔵した入力装置において、操作動作には確実なる動作再現性が無いため、操作毎の発電電圧が一定にならない。発電電圧が変動すると、ＲＦモジュール１０３の駆動時間が変動し、安定した動作ができない。
具体的には、ＲＦモジュール１０３にはＭＣＵ(Micro Control Unit)が搭載されているが、一般的には、ＭＣＵは電圧供給時の電圧の立ち上がり時間に規定があり、これを守られないと正常動作しない可能性がある。そのため、ＭＣＵには、一定時間以内に所定電圧が供給されるようにする必要がある。しかしながら、従来では、例えば図６に示すように、所定電圧Ｖ１１に達するまでに、規定時間以上を要してしまい、ＭＣＵに要求され仕様を満たさない場合がある。【０００６】
また、前述したように、発電操作部１０１の発電量のバラツキにより発電電圧の立ち上がり時間が変化するため、ＲＦモジュール１０３を安定動作させるためには、ＲＦモジュールへの電圧供給を改善する必要がある。【０００７】
また、ＭＣＵは動作下限電圧の保証値が規定されているが、実際はその電圧よりも低いで電圧でも動作し、その電圧はＭＣＵ毎に異なる。そのため、ＲＦモジュール１０３の動作時間に差が生じてしまい、製品としての動作時間の保証値を決めることが難しいという問題がある。【０００８】
また、ＭＣＵへの供給電圧が動作下限電圧以下になると、電気的な負荷がほとんどなくなるため、電力消費は略ない。そのため、ＲＦモジュール１０３内部のキャパシタに電荷が蓄積され、自己放電するまでその電荷が保持される。このような状態で次の発電動作を行うと、その蓄積された電荷に上乗せする形で発電電力が供給される。そのため、連続した発電操作部１０１の動作と、しばらく時間が経過したときの発電操作部１０１の動作とで、ＲＦモジュール１０３の動作時間に差が生じてしまう。例えば、発電操作部１０１からの供給電圧が、ＭＣＵの動作下限電圧Ｖ２以下になっても０にならず、ＲＦモジュール内のキャパシタに電荷が蓄積されてしまう。そのため、発電操作部１０１の操作パターンによってＲＦモジュール１０３の動作時間が異なってしまう。しかしながら、どのようなタイミングでも同じ動作を行わせたいという要請がある。【０００９】
本発明はかかる事情に鑑みてなされたものであり、その目的は、回路部が規定する電源電圧に適合するように発電部からの発電電圧を制御して供給し、回路部に安定した動作を行わせることできる電圧供給制御回路および操作装置を提供することにある。
【課題を解決するための手段】
【００１０】
上述した従来技術の問題点を解決し、上述した目的を達成するために、本発明の電圧供給制御回路は、発電部と前記発電部の発電電圧を基に動作する回路部との間に介在する電圧供給制御回路であって、前記発電部の発電電圧が第１の電圧以下の場合に前記発電部から前記回路部への電圧供給を停止し、前記発電電圧が前記第１の電圧を超えた場合に前記発電電圧を前記回路部に供給する。【００１１】
この構成によれば、前記発電部の発電電圧が第１の電圧以下の場合には、前記発電部から前記回路部への電圧供給は行われない。そのため、発電部からの発電電圧が不安定であり、且つ回路部に電源電圧の範囲が規定されている場合に、回路部が規定する電源電圧以下の発電電圧が回路部に供給されないようにできる。これにより、回路部が規定外の電源電圧で異常動作をすることを回避できる。そのため、回路部の動作の信頼性を高めることができる。【００１２】
好適には本発明の電圧供給制御回路は、前記発電電圧を前記回路部に供給中に、前記発電電圧が前記第１の電圧より低い第２の電圧以下になった場合に、前記発電部から前記回路部への電圧供給を停止する。【００１３】
この構成によれば、前記発電電圧が前記第１の電圧より低い第２の電圧以下になると、前記発電部から前記回路部への電圧供給を停止する。これにより、発電部の発電電圧により回路部が動作し、回路部による電力消費により、回路部の電源電圧が低下した場合に、前記発電部から前記回路部への電圧供給を停止して回路部の電源電圧を短時間で下げることができる。これにより、回路部が規定外の電源電圧で異常動作をすることを回避できる。そのため、回路部の動作の信頼性を高めることができる。
また、この構成によれば、前記発電部から前記回路部への電圧供給を停止する第２の電圧として、前記発電部から前記回路部への電圧供給を開始する第１の電圧より低い電圧を用いる。そのため、回路部の特性に応じて、当該回路部への電圧供給のオン／オフを柔軟に制御できる。【００１４】
好適には本発明の電圧供給制御回路は、前記発電部の前記発電電圧を前記回路部に供給する経路に設けられた第１のスイッチと、前記発電電圧が第１の電圧を超えた場合に、前記第１のスイッチに当該第１のスイッチをオンにする電圧を供給する第１の回路と、前記回路部に供給される前記発電電圧が前記第２の電圧以下になった場合に、前記第１のスイッチをオフにする電圧を供給する第２の回路とを有する。
この構成によれば、第１のスイッチをオンにする動作と、第１のスイッチをオフにする動作とを個別の回路で実現するため、安価な回路を用いて信頼性が高い動作を行うことができる。【００１５】
好適には本発明の電圧供給制御回路では、前記第１のスイッチは第１のトランジスタであり、前記第１の回路は、前記発電電圧を電源電圧として動作し、前記第１のトランジスタのゲートに印加される電圧を制御する。
この構成によれば、第１のスイッチとしてトランジスタを用いることで、簡単な構成で機能を実現できる。【００１６】
好適には本発明の電圧供給制御回路は、前記第１のトランジスタのゲートと所定の基準電位との間の経路に設けられた第２のトランジスタを有し、前記第２の回路は、前記回路部に供給される発電電圧を電源電圧として動作し、前記第２のトランジスタのゲートに印加される電圧を制御する。
この構成によれば、比較的な簡単な構成で、回路部への発電電圧の供給制御を行うことができる。【００１７】
好適には本発明の電圧供給制御回路は、前記第１のトランジスタから前記発電部への前記発電電圧の供給経路と、前記第２のトランジスタのゲートとの間に位置する第１の抵抗を有する。
この構成によれば、前記発電部から前記回路部への発電電圧の供給を停止した後に、前記回路部内のキャパシタに蓄積された電荷を第１の抵抗を介してディスチャージでき、回路部を短時間でオフにできる。これにより、回路部が、規定外の電源電圧で動作する期間を短くできる。【００１８】
好適には本発明の電圧供給制御回路は、前記第１のトランジスタは、ＰチャネルＭＯＳＦＥＴであり、前記第２のトランジスタは、ＮチャネルＭＯＳＦＥＴであり、前記第１の回路は、前記発電電圧が前記第１の電圧を超えた場合に前記第１のトランジスタのゲートにローレベル電圧を供給する第１の出力端子を有し、前記第２の回路は、前記発電電圧が前記第２の電圧以下になった場合に、前記第２のトランジスタの前記ゲートにローレベル電圧を供給する第２の出力端子を有し、前記第１のトランジスタのソースと前記第１の回路の前記第１の出力端子との間にキャパシタ及び第２の抵抗が並列に設けられている。【００１９】
本発明の操作装置は、前記発電部と、上述した本発明の電圧供給制御回路と、前記回路部とを有し、前記発電部は、操作者の入力操作に伴う動きにより発電を行い、前記回路部は、前記電圧供給制御回路からの供給された発電電圧を電源電圧として用いて動作し、前記発電電圧が供給されたことを条件に操作信号を無線送信する送信部であり、前記電源電圧の範囲が規定されている。
この構成によれば、入力操作のバラツキにより、発電部からの発電電圧が一定でない場合でも、電圧供給制御回路により、規定範囲内の発電電圧が回路部に供給されるようにできる。これにより、回路部の動作の信頼性を高めることができる。
【発明の効果】
【００２０】
本発明によれば、回路部が規定する電源電圧に適合するように発電部からの発電電圧を制御して供給し、回路部に安定した動作を行わせることできる。
【図面の簡単な説明】
【００２１】
【図１】本発明の実施形態に係わる操作装置１の全体構成図である。
【図２】図１に示す出力端子１５の出力電圧Ｖ´の波形を説明するための図である。
【図３】図３Ａは図１に示す入力端子１３に生じる発電電圧Ｖ３の波形図、図３Ｂは図１に示す第１のトランジスタＴｒ１のゲートの波形図である。
【図４】図４Ａは図１に示す第２のトランジスタＴｒ２のゲートの波形図、図４Ｂは図１に示す出力端子１５の出力電圧Ｖ３´の波形図である。
【図５】従来の発電入力装置の全体構成図である。
【図６】図５に示すＲＦモジュールに供給される電圧を説明するための図である。
【発明を実施するための形態】
【００２２】
以下、本発明の実施形態に係るスイッチシステムについて説明する。
図１は、本発明の実施形態に係わる操作装置１の全体構成図である。図２は図１に示す出力端子１５の出力電圧Ｖ´の波形を説明するための図である。
図１に示すように、操作装置１は、例えば、発電部３、送信部５、受信部７および電圧供給制御回路１１を有する。
【００２３】
発電部３は、操作者の指等による押圧操作等の入力操作が行われると、その操作に伴う動きにより発電を行い、当該発電に応じた出力電圧（発電電圧）が入力端子１３に生じる。
発電部３は、例えば、操作部が操作されて移動すると、当該移動に応じて磁路形成部材内で磁束が変化し、当該磁束の変化によって発電コイルから誘導起電力を得ることで、出力電圧Ｖ３を入力端子１３に生じさせる。
【００２４】
発電部３の発電は、操作者の人為的動作により行われるため、確実なる動作再現性は無く、発電毎に発電電圧Ｖ３が異なる。
なお、発電部３は、発電電圧Ｖ３を単一方向電圧にするように制御する整流回路及び過電圧保護の機能を備えている。
【００２５】
送信部５は、電圧供給制御回路１１を介して発電部３から出力電圧Ｖ３´の供給を受けて、動作する。
送信部５は、供給電圧制御回路１１から出力電圧Ｖ３´の供給を受けると、例えば発電部３が押圧操作されたことを示す操作信号を無線方式で受信部７に出力する。
受信部７は、送信部５から受信した操作信号を基に、予め決められた処理を行う。
【００２６】
操作装置１は、例えば、発電部３、送信部５および電圧供給制御回路１１を操作モジュールケース内に収容している。操作装置１への外部からの電力供給は不要である。そのため、操作装置１を高い自由度で設置できる。
【００２７】
ところで、発電部３からの発電電圧Ｖ３をそのまま送信部５に供給すると、入力操作毎に異なる出力電圧が送信部５に供給され、送信部５の駆動時間が異なり、安定した動作ができない。
電圧供給制御回路１１は、入力操作に応じた発電部３からの発電電圧Ｖ３を、送信部５の動作範囲内の出力電圧Ｖ３´にして送信部５に供給する。
【００２８】
電圧供給制御回路１１は、例えば、発電部３が押圧操作されて入力端子１３の発電電圧Ｖ３が上昇している間において発電部３の発電電圧Ｖ３が第１の電圧Ｖｔｈ１以下の場合に、発電部３から送信部５への電圧供給を停止する。一方、発電電圧Ｖ３が第１の電圧Ｖｔｈ１を超えた場合に出力電圧Ｖ３´を送信部５に供給する。第１の電圧Ｖｔｈ１は、送信部５の電源投入後に出力電圧Ｖ３´が所定の電圧に達するまでの立ち上がり時間を満たすように規定され、例えば、３．０Ｖである。
【００２９】
また、電圧供給制御回路１１は、出力電圧Ｖ３´を送信部５に供給中に、発電電圧Ｖ３´が第１の電圧Ｖｔｈ１より低い第２の電圧Ｖｔｈ２以下になった場合に、発電部３から送信部５への電圧供給を停止する。これにより、発電部３から送信部５への電力供給が停止される。第２の電圧Ｖｔｈ２は、送信部５の動作下限電圧であり、例えば、１．７Ｖである。
【００３０】
図１に示すように、電圧供給制御回路１１は、発電部３に接続される入力端子１３と、送信部５に出力される出力端子１５とを有する。
発電部３の発電電圧Ｖ３を送信部５に供給する経路には第１のトランジスタＴｒ１が設けられている。
また、第１のトランジスタＴｒ１のゲートと、グランドとの間には第２のトランジスタＴｒ２が設けられている。
【００３１】
また、電圧供給制御回路１１は、第１の回路３５および第２の回路３７を有する。
第１の回路３５は、入力端子１３に生じる発電電圧Ｖ３を電源電圧Ｖｃｃとして用いて動作する。
発電電圧Ｖ３が第１の電圧Ｖｔｈ１に達するまでは、第１の出力端子３５ａはハイインピーダンス（Hi-z）であり、第２の抵抗Ｒ２のプルアップにより、第１の出力端子３５ａは発電電圧Ｖ３と等しくなる。
第１の回路３５は、発電電圧Ｖ３が第１の電圧Ｖｔｈ１を超えた場合に、第１のトランジスタＴｒ１のドレイン−ソース間をオンにする電圧を第１の出力端子３５ａに発生する。
第１のトランジスタＴｒ１のゲートには、第１の出力端子３５ａの電圧が印加される。
【００３２】
第２の回路３７は、出力端子１５に生じる出力電圧Ｖ３´を電源電圧Ｖｃｃとして用いて動作する。
第２の回路３７は、出力電圧Ｖ３´が第２の電圧Ｖｔｈ２を超えている場合は、第２の出力端子３７ａはハイインピーダンス（Hi-z）になり、第１の抵抗Ｒ１のプルアップによって、第２の出力端子３７ａは出力電圧Ｖ３´と等しくなる（等位に）なる。これにより、第２のトランジスタＴｒ２のドレイン−ソース間はオンになり、第１のトランジスタＴｒ１のドレイン−ソース間のオン状態を保持する。
【００３３】
第２の回路３７は、出力端子１５に生じる出力電圧Ｖ３´が第２の電圧Ｖｔｈ２以下になった場合に、第１のトランジスタＴｒ１のドレイン−ソース間をオフにする電圧を第２の出力端子３７ａに発生する。第２のトランジスタＴｒ２のゲートには、第２の出力端子３７ａの電圧が印加される。
【００３４】
本実施形態では、例えば、第１のトランジスタＴｒ１はＰチャネルＭＯＳＦＥＴであり、第２のトランジスタＴｒ２はＮチャネルＭＯＳＦＥＴである。
第１の回路３５は、発電電圧Ｖ３が第１の電圧Ｖｔｈ１を超えた場合に、第１の出力端子３５ａをローレベル電圧（例えば、グランド電位）とし、第１のトランジスタＴｒ１のゲートにローレベル電圧を供給する。これにより、第１のトランジスタＴｒ１のドレイン−ソース間はオンになる。
【００３５】
また、送信部５の電力消費により、出力電圧Ｖ３´が下降し、第２の電圧Ｖｔｈ２以下になると、第２の回路３７は、第２の出力端子３７ａをローレベル電圧（例えば、グランド電位）とし、第２のトランジスタＴｒ２のゲートにローレベル電圧を供給する。これにより、第２のトランジスタＴｒ２のドレイン−ソース間がオフになり、第２のトランジスタＴｒ２のゲートは発電電圧Ｖ３と等しくなる。そのため、第２のトランジスタＴｒ２のドレイン−ソース間はオフになる。これにより、送信部５内のキャパシタに蓄積された電荷が第１の抵抗Ｒ１にディスチャージされ、出力端子１５の電源電圧Ｖ３´が瞬時に０Ｖ付近まで下がる。
このように第２の回路３７は、第２のトランジスタＴｒ２の駆動と、送信部５内のキャパシタに蓄積された電荷のディスチャージ機能とを兼用している。
【００３６】
以下、図１に示す操作装置１の動作例を説明する。
図３Ａは図1に示す入力端子１３に生じる発電電圧Ｖ３の波形図、図３Ｂは図１に示す第１のトランジスタＴｒ１のゲートの波形図である。図４Ａは図１に示す第２のトランジスタＴｒ２のゲートの波形図、図４Ｂは図１に示す出力端子１５の出力電圧Ｖ３´の波形図である。
【００３７】
［時刻ｔ０〜ｔ１］
電圧供給制御回路１１は、例えば、図３Ａに示すように発電部３が押圧操作されて入力端子１３の発電電圧Ｖ３が上昇している間において発電部３の発電電圧Ｖ３が第１の電圧Ｖｔｈ１以下の場合に、第１の出力端子３５ａはハイインピーダンス（Hi-z）であり、第２の抵抗Ｒ２のプルアップにより、第１の出力端子３５ａは発電電圧Ｖ３と等しくなる。これにより、図３Ｂに示すように、第１のトランジスタＴｒ１のゲートも発電電圧Ｖ３と等しくなる。
【００３８】
このとき、第１のトランジスタＴｒ１のドレイン−ソース間はオフであり、第２の回路３７には規定する電源電圧Ｖｃｃが供給されていない。また、第２の出力端子３７ａおよび第２のトランジスタＴｒ２のゲートはローレベル電圧となっており、第２のトランジスタＴｒ２のドレーン−ソース間はオフになっている。
これより、図４Ｂに示すように、出力端子１５はローレベル電圧になっている。
【００３９】
［時刻ｔ１〜ｔ２］
第１の回路３５は、図３Ａに示すように、発電電圧Ｖ３が上昇して第１の電圧Ｖｔｈ１を超えた場合に（時刻ｔ１）、図３Ｂに示すように、第１の出力端子３５ａをローレベル電圧（例えば、グランド電位）とし、第１のトランジスタＴｒ１のゲートにローレベル電圧を供給する。これにより、第１のトランジスタＴｒ１のドレイン−ソース間はオンになる。これにより、図４Ｂに示すように、出力端子１５の出力電圧Ｖ３´は、略発電電圧Ｖ３となる。
【００４０】
そして、第２の回路３７に電源電圧Ｖｃｃが供給され、第２の回路３７が動作する。
第２の回路３７は、出力電圧Ｖ３´が第２の電圧Ｖｔｈ２を超えている場合は、第２の出力端子３７ａはハイインピーダンス（Hi-z）になり、第１の抵抗Ｒ１プルアップによって、図４Ａに示すように第２の出力端子３７ａは出力電圧Ｖ３´と等しくなる。これにより、第２のトランジスタＴｒ２のドレイン−ソース間はオンになり、第１のトランジスタＴｒ１のドレイン−ソース間のオン状態を保持する。
【００４１】
［時刻ｔ２〜ｔ３］
送信部５により電力消費が行われて、図３Ａに示す時刻ｔ２に示すように、出力端子１５に生じる出力電圧Ｖ３´が第２の電圧Ｖｔｈ２以下になると、第２の回路３７は、図３Ｃに示すように、第２の出力端子３７ａをローレベル電圧（グランド電位）にする。これにより、第２のトランジスタＴｒ２のゲートがローレベル電圧なり、ドレイン−ソース間がオフになる。
【００４２】
このとき、第１のトランジスタＴｒ１のゲートは、入力端子１３の発電電圧Ｖ３と同じになり、第１のトランジスタＴｒ１のドレイン−ソース間がオフになる。これにより、発電部３から送信部５への電圧供給が停止する。
【００４３】
時刻ｔ２において、発電部３から送信部５への給電は停止するが、送信部５内のキャパシタの蓄積電荷があるため、出力端子１５の出力電圧Ｖ３´は徐々に低下する。
すなわち、第２の出力端子３７ａはローレベル電圧であるため、送信部５内のキャパシタの蓄積電荷が第１の抵抗Ｒ１を介して第２の出力端子３７ａ側に流れ、出力電圧Ｖ３´が低下する。これにより、出力電圧Ｖ３´が０Ｖ付近まで瞬時に低下する。そして、出力電圧Ｖ３´が、第２の回路３７の動作下限電圧Ｖｔｈ３以下になると、第２の出力端子３７ａがハイインピーダンス（Hi-z）になり、抵抗Ｒ２に電流は流れなくなる。
【００４４】
以上説明したように、操作装置１によれば、発電部３の発電電圧Ｖ３が第１の電圧Ｖｔｈ１以下の場合には、供給電圧制御回路１１の制御により、発電部３から送信部５への電圧供給は行われない。そのため、発電部３からの発電電圧Ｖ３が操作者による操作動作に応じて変動する場合でも、電源投入後に所定の電圧に達するまでの立ち上がり時間を満たすように送信部５に対して出力電圧Ｖ３´を供給できる。これにより、送信部５が規定外の電源電圧で異常動作をすることを回避できる。そのため、送信部５の動作の信頼性を高めることができる。
【００４５】
また、操作装置１によれば、発電部３からの出力電圧Ｖ３´を送信部５に供給中に出力電圧Ｖ３´が第１の電圧Ｖｔｈ１より低い第２の電圧Ｖｔｈ２以下になった場合に、供給電圧制御回路１１の制御により、発電部３から送信部５への電圧供給は行われない。
そのため、出力電圧Ｖ３´によって送信部５が動作し、送信部５による電力消費により、出力電圧Ｖ３´が低下した場合に、発電部３から送信部５への電圧供給を停止して送信部５の電源電圧を短時間で下げることができる。これにより、送信部５に動作下限電圧以下の電圧が供給されて異常動作をすることを回避できる。そのため、送信部５の動作の信頼性を高めることができる。
【００４６】
また、この構成によれば、発電部３から送信部５への電圧供給を停止する第２の電圧Ｖｔｈ２として、発電部３から送信部５への電圧供給を開始する第１の電圧Ｖｔｈ１より低い電圧を用いる。そのため、送信部５の特性に応じて、送信部５への電圧供給のオン／オフを柔軟に制御できる。
【００４７】
また、操作装置１では、第１のトランジスタＴｒ１をオンにする制御を主に行う第１の回路３５と、第１のトランジスタＴｒ１をオフにする制御を主に行う第２の回路３７とを個別の回路で実現するため、安価な回路を用いて信頼性が高い動作を行うことができる。
【００４８】
また、操作装置１では、第１の回路３５が発電部３の発電電圧Ｖ３を駆動電圧とし、第２の回路３７が送信部５に供給される出力電圧Ｖ３´を駆動電圧としている。そのため、第１のトランジスタＴｒ１のオンする第１の電圧Ｖｔｈ１と、オフにする第２の電圧Ｖｔｈ２として異なる電圧を用いた場合でも、比較的簡単な構成で実現できる。
【００４９】
また、操作装置１では、第１のトランジスタＴｒ１から送信部５への出力電圧Ｖ３´の供給経路と、第２のトランジスタＴｒ２のゲートとの間に第１の抵抗Ｒ１を設けた。これにより、発電部３から送信部５への発電電圧の供給を停止した後に、送信部５内のキャパシタに蓄積された電荷を第１の抵抗Ｒ１を介してディスチャージでき、送信部５を短時間でオフにできる。これにより、送信部５が、規定外の電源電圧で動作する期間を短くできる。
【００５０】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、本発明の回路部として送信部５を例示したが、電源電圧の範囲に規定がある他の回路部を用いてもよい。
【００５１】
また、例えば、第１のトランジスタＴｒ１、第２のトランジスタＴｒ２、第１の回路３５および第２の回路３７として、供給電圧制御回路１１に同様の動作をさせる他のものを用いてもよい。
例えば、第１のトランジスタＴｒ１としてＮチャネルＭＯＳＦＥＴを用い、第２のトランジスタＴｒ２としてＰチャネルＭＯＳＦＥＴを用いてもよい。この場合には、第１の回路３５は、発電電圧Ｖ３が第１の電圧Ｖｔｈ１を超えた場合に第１の出力端子３５ａをハイレベル電圧とする。また、出力端子１５に生じる出力電圧Ｖ３´が第２の電圧Ｖｔｈ２以下になると、第２の回路３７は、第２の出力端子３７ａをハイレベル電圧とする。
【００５２】
また、上述した実施形態では、第１の回路３５および第２の回路３７によって第１のトランジスタＴｒ１を制御する場合を例示したが、１つあるいは３つ以上の回路によって第１のトランジスタＴｒ１を制御してもよい。
【産業上の利用可能性】
【００５３】
本発明は発電部からの電圧を基に回路部を動作させるシステムに適用可能である。
【符号の説明】
【００５４】
１…操作装置
３…発電部
５…送信部
７…受信部
１１…供給電圧制御回路
１３…入力端子
１５…出力端子
３５…第１の回路
３５ａ…第１の出力端子
３７…第２の回路
３７ａ…第２の出力端子
Ｔｒ１…第１のトランジスタ
Ｔｒ２…第２のトランジスタ
【図１】
2016167155.tif 000003
【図２】
2016167155.tif 000004
【図３】
2016167155.tif 000005
【図４】
2016167155.tif 000006
【図５】
2016167155.tif 000007
【図６】
2016167155.tif 000008
【国際調査報告】
2016167155.tif 000009
2016167155.tif 000010
2016167155.tif 000011
2016167155.tif 000012